(57)【要約】【課題】少なくとも一方に音声出力部がある第一ハウジングと第二ハウジングが開閉自在な構造で、その開閉角度の変化による音声の変化を抑制できる電気機器を提供する。【解決手段】第一ハウジングと第二ハウジングとの開閉角度を角度検出装置１３１で検出し、検出された開閉角度に対応してスピーカユニット１２３から出力される音声をパラメータ設定部１５０で調整する。スピーカユニット１２３から出力される音声が第一ハウジングと第二ハウジングとの開閉角度により変化しても、その変化を補償して利用者に均等な音声を提供することができる。【選択図】図１
2007251588.tif 000002
【特許請求の範囲】
【請求項１】
第一ハウジングと、第二ハウジングと、前記第一ハウジングと前記第二ハウジングとを開閉自在に軸支しているヒンジ機構と、を有する電気機器であって、
前記第一ハウジングと前記第二ハウジングとの少なくとも一方に搭載されていて音声を出力する音声出力部と、
前記第一ハウジングと前記第二ハウジングとの開閉角度を検出する角度検出部と、
検出された前記開閉角度に対応して前記音声出力部から出力される前記音声の音量と音質との少なくとも一方を調整する出力調整部と、
を有する電気機器。
【請求項２】
本体ハウジングを有する電気機器であって、
前記本体ハウジングに搭載されていて音声を出力する音声出力部と、
前記本体ハウジングの保持されている状態である保持状態を検出する状態検出部と、
検出された前記保持状態に対応して前記音声出力部から出力される前記音声の音量と音質との少なくとも一方を調整する出力調整部と、
を有する電気機器。
【請求項３】
前記第一ハウジングと前記第二ハウジングとの少なくとも一方の保持状態を検出する状態検出部も有し、
前記出力調整部は、検出された前記保持状態にも対応して前記音声の音量と音質との少なくとも一方を調整する請求項１に記載の電気機器。
【請求項４】
前記第一ハウジングと前記第二ハウジングとの少なくとも一方に搭載されていて取得する音声を電気信号に変換する音声取得部と、
検出された前記開閉角度に対応して前記音声取得部から出力される前記電気信号を調整する取得調整部と、
も有する請求項１または３に電気機器。
【請求項５】
前記第一ハウジングと前記第二ハウジングとの少なくとも一方に搭載されていて取得する音声を電気信号に変換する音声取得部と、
検出された前記保持状態に対応して前記音声取得部から出力される前記電気信号を調整する取得調整部と、
も有する請求項２または３に記載の電気機器。
【請求項６】
第一ハウジングと、第二ハウジングと、前記第一ハウジングと前記第二ハウジングとを開閉自在に軸支しているヒンジ機構と、を有する電気機器であって、
前記第一ハウジングと前記第二ハウジングとの少なくとも一方に搭載されていて取得する音声を電気信号に変換する音声取得部と、
前記第一ハウジングと前記第二ハウジングとの開閉角度を検出する角度検出部と、
検出された前記開閉角度に対応して前記音声取得部から出力される前記電気信号を調整する取得調整部と、
を有する電気機器。
【請求項７】
本体ハウジングを有する電気機器であって、
前記本体ハウジングに搭載されていて取得する音声を電気信号に変換する音声取得部と、
前記本体ハウジングの保持されている状態である保持状態を検出する状態検出部と、
検出された前記保持状態に対応して前記音声取得部から出力される前記電気信号を調整する取得調整部と、
を有する電気機器。
【請求項８】
前記第一ハウジングと前記第二ハウジングとの少なくとも一方の保持状態を検出する状態検出部も有し、
前記取得調整部は、検出された前記保持状態にも対応して前記電気信号を調整する請求項６に記載の電気機器。
【請求項９】
前記取得調整部は、取得される前記音声の音量変化を補正するように前記電気信号を調整する請求項５ないし８の何れか一項に記載の電気機器。
【請求項１０】
前記取得調整部は、取得される前記音声の音質変化を補正するように前記電気信号を調整する請求項５ないし９の何れか一項に記載の電気機器。
【請求項１１】
前記状態検出部は、前記保持状態として手指で把持されているか床面に載置されているかを検出する請求項２，３，７，８の何れか一項に記載の電気機器。
【発明の詳細な説明】
【技術分野】
【０００１】
本発明は、第一ハウジングと第二ハウジングとが開閉自在に軸支されている電気機器に関し、特に、第一ハウジングに音声出力部がある電気機器に関する。
【背景技術】
【０００２】
現在、携帯電話端末などの電気機器では、その携帯性を向上させるために第一ハウジングと第二ハウジングとが開閉自在な製品がある。このような電気機器は、一般的に各々扁平なボックス状の第一ハウジングと第二ハウジングとがヒンジ機構により開閉自在に軸支されている。そして、第一ハウジングと第二ハウジングとの一面が閉止状態では対向して開放状態では離間する。
【０００３】
上述のような電気機器である携帯電話端末では、通常、第一ハウジングの一面には、ＬＣＤ(Liquid Crystal Display)等のディスプレイパネルが配置されている。第二ハウジングの一面には、キーボードユニットが配置されている。
【０００４】
さらに、第一ハウジングの一面の上端近傍には、通話用のスピーカユニットが配置されている。第二ハウジングの一面の下端近傍には、通話用のマイクロフォンが配置されている。
【０００５】
携帯電話端末では、着信音声を出力するためのスピーカユニットも必要である。しかし、特性や出力の観点から、通話用と着信用のスピーカユニットの兼用は困難である。
【０００６】
そして、上述のように第一ハウジングと第二ハウジングとの一面にはディスプレイパネルやキーボードや通話用のユニットが配置されており、着信用のスピーカユニットを配置することは困難である。
【０００７】
さらに、着信音声を出力するスピーカユニットは、第一ハウジングと第二ハウジングとが閉止された状態でも音声を良好に発生する必要がある。このため、着信用のスピーカユニットは、通常は閉止状態で外側に位置する第一ハウジングなどの他面に配置されている。
【０００８】
また、現在では携帯電話端末の用途が拡大しており、例えば、着信用のスピーカユニットに鑑賞用の音楽を出力させることがある。さらに、ディスプレイパネルに鑑賞用の映画の画像などを表示させながら、その映画の音声を着信用のスピーカユニットに出力させることもある。
【０００９】
利用者が音楽のみを鑑賞するような場合には、一般的に利用者は閉止状態の第一ハウジングの他面を自身に対向させ、その他面のスピーカユニットから出力される音楽を聞くことになる。
【００１０】
また、利用者が映画を鑑賞するような場合には、一般的に利用者は開放状態の第一ハウジングの一面を自身に対向させてディスプレイパネルの画像を見ながら、第一ハウジングの他面のスピーカユニットから出力される音声を聞くことになる。
【００１１】
なお、上述のような構造の電気機器としては各種の提案がある(例えば、特許文献１〜４参照)。
【特許文献１】特開２００３−１６９１１５号
【特許文献２】特開２００４−１３５０５４号
【特許文献３】特開平０８−００９００５号
【特許文献４】特開平０９−１２１２３６号
【発明の開示】
【発明が解決しようとする課題】
【００１２】
上述のように第一ハウジングと第二ハウジングとが開閉自在な携帯電話端末などにおいて、着信用のスピーカユニットが鑑賞用の音声の出力に利用されることがある。しかし、上述のような電気機器は、その第一ハウジングと第二ハウジングとを各種の角度に開閉することができる。
【００１３】
そして、第一ハウジングの他面から出力される音声は、第二ハウジングの他面で反射される。このため、第一ハウジングと第二ハウジングとの開閉角度により、利用者に提供される音声の音量や音質が変化する。従って、従来の電気機器では、利用者に一定の音量や音質で音声を提供することが困難である。
【００１４】
さらに、上述のように携帯電話端末などが鑑賞用の音声の出力に利用されるとき、その第二ハウジングなどが手指で把持されることもあり、床面に載置されることもある。しかし、これらの第二ハウジングの保持状態によっても、第一ハウジングから利用者に提供される音声の音量や音質が変化する。
【００１５】
また、現在の携帯電話端末には、いわゆるハンズフリー機能を有するものがある。このような携帯電話端末では、利用者が第二ハウジングなどを手指で把持した状態でも、床面に載置した状態でも、通話機能を利用することができる。
【００１６】
しかし、このような第二ハウジングの保持状態によっても、第二ハウジングのマイクロフォンに取得する音声の音量や音質が変化する。このため、利用者の通話の相手に一定の音量や音質で音声を提供することができない。
【００１７】
本発明は上述のような課題に鑑みてなされたものであり、第一ハウジングと第二ハウジングとが開閉自在な構造で、開閉角度や保持状態が変化しても、出力される音声や取得する音声の音量や音質の変化を抑制することができる、電気機器を提供するものである。
【課題を解決するための手段】
【００１８】
本発明の第一の電気機器は、第一ハウジングと、第二ハウジングと、第一ハウジングと第二ハウジングとを開閉自在に軸支しているヒンジ機構と、を有する電気機器であって、第一ハウジングと第二ハウジングとの少なくとも一方に搭載されていて音声を出力する音声出力部と、第一ハウジングと第二ハウジングとの開閉角度を検出する角度検出部と、検出された開閉角度に対応して音声出力部から出力される音声の音量と音質との少なくとも一方を調整する出力調整部と、を有する。
【００１９】
従って、本発明の電気機器では、音声出力部から出力される音声が第一ハウジングと第二ハウジングとの開閉角度により変化するが、第一ハウジングと第二ハウジングとの開閉角度に対応して音声出力部から出力される音声が調整される。
【００２０】
本発明の第二の電気機器は、本体ハウジングを有する電気機器であって、本体ハウジングに搭載されていて音声を出力する音声出力部と、本体ハウジングの保持されている状態である保持状態を検出する状態検出部も有し、検出された保持状態に対応して音声出力部から出力される音声の音量と音質との少なくとも一方を調整する出力調整部と、を有する。
【００２１】
従って、本発明の電気機器では、音声出力部から出力される音声が本体ハウジングの保持状態により変化するが、本体ハウジングの保持状態に対応して音声出力部から出力される音声が調整される。
【００２２】
本発明の第三の電気機器は、第一ハウジングと、第二ハウジングと、第一ハウジングと第二ハウジングとを開閉自在に軸支しているヒンジ機構と、を有する電気機器であって、第一ハウジングと第二ハウジングとの少なくとも一方に搭載されていて取得する音声を電気信号に変換する音声取得部と、第一ハウジングと第二ハウジングとの開閉角度を検出する角度検出部と、検出された開閉角度に対応して音声取得部から出力される電気信号を調整する取得調整部と、有する電気機器。
【００２３】
従って、本発明の電気機器では、音声取得部に取得される音声が第一ハウジングと第二ハウジングとの開閉角度により変化するが、第一ハウジングと第二ハウジングとの開閉角度に対応して音声取得部から出力される電気信号が調整されるので、例えば、開閉角度に起因した音声の変化が補償される。
【００２４】
本発明の第四の電気機器は、本体ハウジングを有する電気機器であって、本体ハウジングに搭載されていて取得する音声を電気信号に変換する音声取得部と、本体ハウジングの保持されている状態である保持状態を検出する状態検出部と、検出された保持状態に対応して音声取得部から出力される電気信号を調整する取得調整部と、を有する。
【００２５】
従って、本発明の電気機器では、音声取得部に取得される音声が本体ハウジングの保持状態により変化するが、本体ハウジングの保持状態に対応して音声取得部から出力される電気信号が調整されるので、例えば、保持状態に起因した音声の変化が補償される。
【００２６】
なお、本発明で云う各種の構成要素は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２７】
また、本発明で云う各種の構成要素は、個々に独立した存在である必要もなく、複数の構成要素が１個の部材として形成されていること、１つの構成要素が複数の部材で形成されていること、ある構成要素が他の構成要素の一部であること、ある構成要素の一部と他の構成要素の一部とが重複していること、等でよい。
【発明の効果】
【００２８】
本発明の第一の電気機器では、第一ハウジングと第二ハウジングとの開閉角度に対応して音声出力部から出力される音声が調整されるので、音声出力部から出力される音声が第一ハウジングと第二ハウジングとの開閉角度により変化しても、その変化を補償して利用者に均等な音声を提供することができる。
【００２９】
本発明の第二の電気機器では、本体ハウジングの保持状態に対応して音声出力部から出力される音声が調整されるので、音声出力部から出力される音声が本体ハウジングの保持状態により変化しても、その変化を補償して利用者に均等な音声を提供することができる。
【００３０】
本発明の第三の電気機器では、第一ハウジングと第二ハウジングとの開閉角度に対応して音声取得部から出力される電気信号が調整されるので、音声取得部に取得される音声が第一ハウジングと第二ハウジングとの開閉角度により変化しても、その変化を補償して送信や記録等される音声を均等とすることができる。
【００３１】
本発明の第四の電気機器では、本体ハウジングの保持状態に対応して音声取得部から出力される電気信号が調整されるので、音声取得部に取得される音声が本体ハウジングの保持状態により変化しても、その変化を補償して送信や記録等される音声を均等とすることができる。
【発明を実施するための最良の形態】
【００３２】
本発明の実施の一形態を図１ないし図５を参照して以下に説明する。本実施の形態の電気機器である携帯電話端末１００は、図３ないし図５に示すように、扁平で細長いボックス状に各々形成されている第一ハウジング１１０と第二ハウジング１２０とが、ヒンジ機構１３０により開閉自在に軸支されている。
【００３３】
本実施の形態の携帯電話端末１００では、図４に示すように、第一ハウジング１１０と第二ハウジング１２０との開閉状態が、例えば、角度が０°〜１５０°の範囲で変化する。このため、閉止状態では第一ハウジング１１０の一面と第二ハウジング１２０の一面とが平行に対向する。
【００３４】
また、ヒンジ機構１３０には、角度検出部である角度検出装置１３１が内蔵されている。この角度検出装置１３１は、例えば、ロータリエンコーダからなり、第一ハウジング１１０と第二ハウジング１２０との開閉角度を検出する。
【００３５】
第一ハウジング１１０は、上述の一面にＬＣＤ等の表示部１１１が配置されている。第二ハウジング１２０は、上述の一面に操作部１２１が配置されている。さらに、第一ハウジング１１０の一面の先端近傍には、通話用のスピーカユニット１１２が内蔵されている。
【００３６】
第二ハウジング１２０の一面の先端近傍には、通話用の音声取得部であるマイクロフォン１２２が内蔵されている。一方、第一ハウジング１１０の他面の末端近傍には、着信音声などの出力用の音声出力部であるスピーカユニット１２３が内蔵されている。
【００３７】
本実施の形態の携帯電話端末１００は、図１に示すように、ＣＰＵ(Central Processing Unit)１４０を有する。このＣＰＵ１４０には、表示部１１１、操作部１２１、スピーカユニット１１２、マイクロフォン１２２、スピーカユニット１２３、メモリ１４１、ＤＳＰ(Digital Signal Processor)１４２、等が接続されている。
【００３８】
より詳細には、スピーカユニット１１２は、スピーカ用の増幅器(アンプ)１４３とＤ／Ａ(Digital／Analog)コンバータ１４４を介してＣＰＵ１４０に接続されている。マイクロフォン１２２は、マイク用の増幅器１４５とＡ／Ｄ(Analog／Digital)コンバータ１４６を介してＣＰＵ１４０に接続されている。
【００３９】
そして、スピーカユニット１２３は、増幅器１４７とＤ／Ａコンバータ１４８と出力調整部であるパラメータ設定部１５０とを介してＣＰＵ１４０に接続されている。このＣＰＵ１４０は、適切なコンピュータプログラムが実装されており、そのコンピュータプログラムにより角度検出装置１３１の検出信号に対応してパラメータ設定部１５０の動作を制御する。
【００４０】
このため、パラメータ設定部１５０は、第一ハウジング１１０と第二ハウジング１２０との開閉角度が角度検出装置１３１により検出されると、その検出された開閉角度に対応してスピーカユニット１２３から出力される音声の音量と音質とを調整する。
【００４１】
さらに、本実施の形態の携帯電話端末１００では、手指で把持された状態と、床面に載置された状態と、が保持状態として想定されている。そこで、この二種類の保持状態が動作モードとして操作部１２１により入力操作される。すると、パラメータ設定部１５０は、入力操作された保持状態と検出された開閉角度とに対応してスピーカユニット１２３から出力される音声の音量と音質とを調整する。
【００４２】
ＣＰＵ１４０は、携帯電話端末１００の各部を統合制御すると共に、通話と通信に関連する種種の演算処理に関係する処理と指示を行う。また、着信音と音声と送話感度等の音量を切り替え指示等の処理、角度検出装置１３１が稼動しているときはその角度に応じた処理と指示を行う機能を有する。
【００４３】
表示部１１１は、機能設定時の選択画面、機能の設定状況、カメラなどで撮影した画像、動画、ＴＶ電話時の画像などを表示する。操作部１２１は、発呼、通話開始と終了、メニュー選択時のキー入力等に使用者が操作するものである。
【００４４】
ＤＳＰ１４２は、受送話部での音声信号処理、着信音等のメロディーデータの信号処理等を行う。メモリ１４１は、ＣＰＵ１４０での演算結果や保持状態の入力データなどを格納する。
【００４５】
パラメータ設定部１５０は、ＣＰＵ１４０とＤＳＰ１４２に接続されており、ＣＰＵ１４０が角度検出装置１３１から得た角度情報および使用設定状態に応じて指示を出し、それを受けて使用するＥＱパラメータ設定値の選択を行う。
【００４６】
ここで、パラメータ設定部１５０の内部構成として、携帯電話端末１００の保持状態が手持ちで使用と置いて使用と２つある場合のパラメータ設定部１５０内部を図２で説明する。
【００４７】
図４の(１)〜(４)は開閉角度の範囲を表し、範囲(１)の場合は角度１３６度〜１５０度の開閉角度で、図２のパラメータ設定部１５０のＡ−(１)またはＢ−(１)の設定値が使用され、開閉角度範囲(２)の場合は開閉角度１２１〜１３５度で図２のパラメータ設定部１５０のＡ−(２)またはＢ−(２)のＥＱ設定値が使用される。開閉角度(３)(４)も同様に各々のパラメータが使用される。
【００４８】
ここで、携帯電話端末１００の開閉角度１５０度で手持ち使用する状態を基準設定とする。すなわちＡ−(１)パラメータ使用時が基準設定値となり、実際にスピーカユニット１２３から音声が出力されたときの音量や音質などの特性基準にあることとする。
【００４９】
その特性基準はスピーカユニット１２３側ではなく、表示部１１１側で規定するものとする。角度範囲が(２)〜(４)の場合または、置いて使用する場合はこの基準特性からの差分の特性を各々のＥＱパラメータで調整されるものであり、基準特性からの差分に関して、各々のパラメータが格納されている。
【００５０】
Ｄ／Ａコンバータ１４８はパラメータ設定部１５０に接続されており、ＤＳＰ１４２から出力されパラメータ設定部１５０を通った音声と音楽のデジタル信号をアナログ信号に変換を行う。増幅器１４７はスピーカユニット１２３に接続されており着信音および動画撮影された音声信号等の増幅に使用する。 
【００５１】
上述のような構成において、本実施の形態の携帯電話端末１００で音楽付きの動画を再生するときの動作について説明する。まず機能として、保持状態の選択を実施する。ここでは『手持ち状態で使用』または『置いた状態で使用』を選択できるものとする。ここで『置いた状態で使用』を選択したものとする。表示部１１１に『置いた状態で使用』が表示され、ＣＰＵ１４０は角度検出装置１３１を作動させる。
【００５２】
ＣＰＵ１４０は角度検出装置１３１から開閉角度をデータ検出する。また、パラメータ設定部１５０に『置いた状態での使用』との指示を出す。指示を出されたパラメータ設定部１５０はＥＱ  Ｂを使用するように設定される。 
【００５３】
携帯電話端末１００の開閉角度が９０度で置いた状態にあるとき、角度検出装置１３１で９０度を認識し、ＣＰＵ１４０が範囲(４)と判断する。次にＣＰＵ１４０がパラメータ設定部１５０に範囲(４)との指示を出し、指示された設定値である、ＥＱ  Ｂ−(４)を使用するように設定される。 
【００５４】
次にメモリ１４１に格納されている動画再生にしたとき、ＤＳＰ１４２で信号処理された音楽のデジタル信号データがパラメータ設定部１５０に出力される。パラメータ設定部１５０に入力したデジタル信号データはパラメータ設定部１５０でＥＱ  Ｂ−(４)特性に調整され、Ｄ／Ａコンバータ１４８に出力される。
【００５５】
Ｄ／Ａコンバータ１４８に入力されたデジタル信号はアナログ信号に変換され、増幅器１４７を通り増幅され、スピーカユニット１２３から音楽として出力されると同時に表示部１１１に動画が再生される。
【００５６】
動画再生時に開閉角度を１３０度に変えたときは角度検出装置１３１で１３０度を認識し、ＣＰＵ１４０が範囲(２)と判断する。次にＣＰＵ１４０がパラメータ設定部１５０に範囲(２)との指示を出し、指示された設定値である、ＥＱ  Ｂ−(２)を使用するように設定される。よって、スピーカユニット１２３の出力はＥＱ  Ｂ−(２)に調整された音楽が再生される。
【００５７】
本実施の形態の携帯電話端末１００では、上述のように第一ハウジング１１０と第二ハウジング１２０との開閉角度に対応してスピーカユニット１２３から出力される音声が調整される。
【００５８】
このため、スピーカユニット１２３から出力される音声が第一ハウジング１１０と第二ハウジング１２０との開閉角度により変化しても、その変化を補償して利用者に均等な音声を提供することができる。
【００５９】
しかも、保持状態が入力操作されると、その保持状態にも対応して音声が調整されるので、手指で把持された状態でも床面に載置された状態でも、均等な音声を利用者に提供することができる。特に、音声の音質と音量との両方が調整されるので、音質面と音量面との両方で均等な音声を利用者に提供することができる。
【００６０】
なお、本発明は本実施の形態に限定されるものではなく、その要旨を逸脱しない範囲で各種の変形を許容する。例えば、上記形態では出力音声の音量と音質との両方を調整することを例示したが、その一方のみを調整することもできる。
【００６１】
また、上記形態では電気機器として携帯電話端末１００を例示した。しかし、本発明は第一ハウジングと第二ハウジングが開閉自在に軸支されており、第一ハウジングの一面に音声出力部が位置する各種の電子機器に適用することができ、例えば、ＰＤＡ(Personal Digital Assistance)やノートパソコンなどにも適用することができる(図示せず)。
【００６２】
また、上記形態では、保持状態の入力操作に対応してスピーカユニット１２３から出力される音声を調整することを例示した。しかし、温度センサや受光センサなどにより保持状態を検出し、この検出された保持状態に対応してスピーカユニット１２３から出力される音声を調整することもできる。このように保持状態を検出して出力音声を調整する場合、その本体ハウジングは開閉構造でなくともよい。
【００６３】
さらに、上記形態では第一ハウジング１１０と第二ハウジング１２０との開閉角度や保持状態に対応して、スピーカユニット１２３から出力される音声を調整することを例示した。
【００６４】
しかし、第一ハウジング１１０と第二ハウジング１２０との開閉角度や保持状態に対応して、図６に示すように、マイクロフォン１２２で取得された音声の電気信号を調整することもできる。
【００６５】
この場合、マイクロフォン１２２に取得される音声が第一ハウジング１１０と第二ハウジング１２０との開閉角度や保持状態により変化しても、その変化を補償して送信や記録等される音声を均等とすることができる。
【００６６】
この場合も、保持状態を自動検出して入力音声の電気信号を自動調整することができる。そして、このように保持状態を検出して入力音声の電気信号を調整する場合も、その本体ハウジングは開閉構造である必要はない。
【図面の簡単な説明】
【００６７】
【図１】本発明の実施の形態の電気機器である携帯電話端末の回路構造を示すブロック図である。
【図２】パラメータ設定部の内部構造を示す模式図である。
【図３】携帯電話端末の外観を示す側面図である。
【図４】携帯電話端末の開閉角度を示す模式図である。
【図５】携帯電話端末が床面に載置された状態を示す模式的な側面図である。
【図６】一変形例の携帯電話端末の回路構造を示すブロック図である。
【符号の説明】
【００６８】
１００    携帯電話端末
１１０    第一ハウジング
１２０    第二ハウジング
１２２    マイクロフォン
１２３    スピーカユニット
１３０    ヒンジ機構
１３１    角度検出装置
１５０    パラメータ設定部
【図１】
2007251588.tif 000003
【図２】
2007251588.tif 000004
【図３】
2007251588.tif 000005
【図４】
2007251588.tif 000006
【図５】
2007251588.tif 000007
【図６】
2007251588.tif 000008